(57)【特許請求の範囲】
【請求項１】
貯水池の貯水を利用して発電を行う発電機を備えた水力発電所の所定期間の発電計画を作成する水力発電計画作成方法であって、
前記発電機を最高効率で毎日運転したときに、前記所定期間の最終日における前記貯水池の貯水量が所定量以上で且つ前記所定期間において発電に使用する平均使用水量が所定水量以上であるときは、前記発電機の運転日を毎日に決定する第１の運転日決定ステップと、
前記第１の運転日決定ステップにおいて否定結果が得られたときに、前記発電機を日曜日に運転しなければ前記平均使用水量が所定水量以上であるときは、前記発電機の運転日を、前記日曜日を除いた日に決定する第２の運転日決定ステップと、
前記第２の運転日決定ステップにおいて否定結果が得られたときに、前記発電機を日曜日と祝日に運転しなければ前記平均使用水量が所定水量以上であるときは、前記発電機を前記日曜日は運転停止、前記祝日は運転停止又は電力需要のピーク時間のみ運転するピーク運転とし、前記発電機の運転日を前記日曜日及び祝日を除いた日に決定する第３の運転日決定ステップと、
前記第３の運転日決定ステップにおいて否定結果が得られたときに、前記発電機を前記日曜日、祝日、土曜日において運転停止とし、前記発電機の運転日を前記日曜日、祝日、土曜日以外の日に決定する第４の運転日決定ステップと、
前記所定期間における前記貯水池の貯水量、前記貯水池の年間計画貯水量、及び前記第１〜第４の運転日決定ステップにより決定された運転日から求められる１日あたりの平均取水量を、発電に使用する使用水量により除算して１日当たりの発電時間を算出する発電時間算出ステップと、
前記発電時間算出ステップにより算出した発電時間と電力消費量が大きい時間帯とに基づいて前記発電機の運転時間を決定する運転時間決定ステップと、
から成ることを特徴とする水力発電計画作成方法。
【請求項２】
前記電力消費量が大きい時間帯は、季節毎に異なることを特徴とする請求項１に記載の水力発電計画作成方法。
【請求項３】
貯水池の貯水を利用して発電を行う発電機を備えた水力発電所の所定期間の発電計画を作成する水力発電計画作成装置であって、
前記発電機を最高効率で毎日運転したときに、前記所定期間の最終日における前記貯水池の貯水量が所定量以上で且つ前記所定期間において発電に使用する平均使用水量が所定水量以上であるときに、前記発電機の運転日を毎日に決定する第１の運転日決定処理と、前記第１の運転日決定処理において否定結果が得られたときに、前記発電機を、日曜日に運転しなければ前記平均使用水量が所定水量以上であるときは、前記発電機の運転日を、前記日曜日を除いた日に決定する第２の運転日決定処理と、前記第２の運転日決定処理において否定結果が得られたときに、前記発電機を日曜日と祝日に運転しなければ前記平均使用水量が所定水量以上であるときは、前記発電機を前記日曜日は運転停止、前記祝日は運転停止又は電力需要のピーク時間のみ運転するピーク運転とし、前記発電機の運転日を前記日曜日及び祝日を除いた日に決定する第３の運転日決定処理と、前記第３の運転日決定処理において否定結果が得られたときに、前記発電機を前記日曜日、祝日、土曜日において運転停止とし、前記発電機の運転日を前記日曜日、祝日、土曜日以外の日に決定する第４の運転日決定処理と、を実行する運転日決定手段と、
前記所定期間における前記貯水池の貯水量、前記貯水池の年間計画貯水量、及び前記運転日決定手段により決定された運転日から求められる１日あたりの平均取水量を、発電に使用する使用水量により除算して１日当たりの発電時間を算出する発電時間算出手段と、
前記発電時間算出手段により算出した発電時間と電力消費量が大きい時間帯に基づいて前記発電機の運転時間を決定する運転時間決定手段と、を備えることを特徴とする水力発電計画作成装置。
【請求項４】
前記電力消費量が大きい時間帯は、季節毎に異なることを特徴とする請求項３に記載の水力発電計画作成装置。
【請求項５】
前記所定期間における水力発電計画が出力可能に構成されていることを特徴とする請求項３又は４に記載の水力発電計画作成装置。
【発明の詳細な説明】
【技術分野】
【０００１】
本発明は、水力発電所の水力発電計画を作成するのに好適な水力発電計画作成方法及び水力発電計画作成装置に関するものである。
【背景技術】
【０００２】
貯水池（ダム）に貯水した水を利用して発電機により発電を行う水力発電所においては、梅雨期や台風期に流入する水によって貯水池が溢水することなく、年間を通じて要求される電力を発電することが求められている。このため、水力発電所では過去数十年間の降水量に基づいて貯水池の貯水量の年間運用計画（目標）を予め作成しておき、発電を行う際には貯水池の実際の貯水量や天気予報等から予想される流入量及び発電に使用する使用水量と、貯水池の年間運用計画とに基づいて、２週間程度の短期的な発電計画を作成して発電を行うようにしている。
【０００３】
なお、特許文献１には水力発電所群に対する良質な日間発電計画案、及び代替案を実用的な処理時間で算出機により立案する方式が開示されている。また特許文献２には日（短期間）調整を行う調整池式水力発電所の溢水を防ぎ、高効率で運用し、制御する調整池式水力発電所の自動化システムが開示されている。
【特許文献１】特開平５−９１７９９号公報
【特許文献２】特開平１０−３０５４６号公報
【発明の開示】
【発明が解決しようとする課題】
【０００４】
しかしながら、従来の水力発電所の発電計画は、上記したような貯水池の実際の貯水量や流入量、発電に使用する使用水量、及び貯水池の年間運用計画等に基づいて、発電所の作業者が経験を頼りに作成していた。このため、作業者によって発電計画が夫々異なったものとなり、必ずしも最適な発電計画により発電が行われていないという問題点があった。
本発明は上記したような点を鑑みてなされたものであり、水力発電所の最適な発電計画を自動的に作成する水力発電計画作成方法及び水力発電計画作成装置を提供することを目的とする。
【課題を解決するための手段】
【０００５】
上記目的を達成するため、貯水池の貯水を利用して発電を行う発電機を備えた水力発電所の所定期間の発電計画を作成する水力発電計画作成方法であって、前記発電機を最高効率で毎日運転したときに、前記所定期間の最終日における前記貯水池の貯水量が所定量以上で且つ前記所定期間において発電に使用する平均使用水量が所定水量以上であるときは、前記発電機の運転日を毎日に決定する第１の運転日決定ステップと、前記第１の運転日決定ステップにおいて否定結果が得られたときに、前記発電機を日曜日に運転しなければ前記平均使用水量が所定水量以上であるときは、前記発電機の運転日を、前記日曜日を除いた日に決定する第２の運転日決定ステップと、前記第２の運転日決定ステップにおいて否定結果が得られたときに、前記発電機を日曜日と祝日に運転しなければ前記平均使用水量が所定水量以上であるときは、前記発電機を、前記日曜日は運転停止、前記祝日は運転停止又は電力需要のピーク時間のみ運転するピーク運転とし、前記発電機の運転日を前記日曜日及び祝日を除いた日に決定する第３の運転日決定ステップと、前記第３の運転日決定ステップにおいて否定結果が得られたときに、前記発電機を前記日曜日、祝日、土曜日において運転停止とし、前記発電機の運転日を前記日曜日、祝日、土曜日以外の日に決定する第４の運転日決定ステップと、前記所定期間における前記貯水池の貯水量、前記貯水池の年間計画貯水量、及び前記第１〜第４の運転日決定ステップにより決定された運転日から求められる１日あたりの平均取水量を、発電に使用する使用水量により除算して１日当たりの発電時間を算出する発電時間算出ステップと、前記発電時間算出ステップにより算出した発電時間と電力消費量が大きい時間帯とに基づいて前記発電機の運転時間を決定する運転時間決定ステップと、から成ることを特徴とする。
【０００６】
請求項２に記載の本発明は、前記電力消費量が大きい時間帯は、季節毎に異なることを特徴とする。
請求項３に記載の本発明は、貯水池の貯水を利用して発電を行う発電機を備えた水力発電所の所定期間の発電計画を作成する水力発電計画作成装置であって、前記発電機を最高効率で毎日運転したときに、前記所定期間の最終日における前記貯水池の貯水量が所定量以上で且つ前記所定期間において発電に使用する平均使用水量が所定水量以上であるときに、前記発電機の運転日を毎日に決定する第１の運転日決定処理と、前記第１の運転日決定処理において否定結果が得られたときに、前記発電機を日曜日に運転しなければ前記平均使用水量が所定水量以上であるときは、前記発電機の運転日を、前記日曜日を除いた日に決定する第２の運転日決定処理と、前記第２の運転日決定処理において否定結果が得られたときに、前記発電機を日曜日と祝日に運転しなければ前記平均使用水量が所定水量以上であるときは、前記発電機を前記日曜日は運転停止、前記祝日は運転停止又は電力需要のピーク時間のみ運転するピーク運転とし、前記発電機の運転日を前記日曜日及び祝日を除いた日に決定する第３の運転日決定処理と、前記第３の運転日決定処理において否定結果が得られたときに、前記発電機を前記日曜日、祝日、土曜日において運転停止とし、前記発電機の運転日を前記日曜日、祝日、土曜日以外の日に決定する第４の運転日決定処理と、を実行する運転日決定手段と、前記所定期間における前記貯水池の貯水量、前記貯水池の年間計画貯水量、及び前記運転日決定手段により決定された運転日から求められる１日あたりの平均取水量を、発電に使用する使用水量により除算して１日当たりの発電時間を算出する発電時間算出手段と、前記発電時間算出手段により算出した発電時間と電力消費量が大きい時間帯に基づいて前記発電機の運転時間を決定する運転時間決定手段と、を備えることを特徴とする。
【０００７】
請求項４に記載の本発明は、前記電力消費量が大きい時間帯は、季節毎に異なることを特徴とする。
請求項５に記載の本発明は、前記所定期間における水力発電計画が出力可能に構成されていることを特徴とする。
【発明の効果】
【０００８】
本発明によれば、発電機を最高効率で運転したときに使用する平均使用水量が所定水量以上となるように発電機を運転する運転日を決定すると共に、所定期間における貯水池の貯水量と貯水池の年間計画貯水量とから得られる１日あたりの平均取水量を発電に使用する使用水量により除算して１日当たりの発電時間を算出し、算出した発電時間と電力消費量が大きい時間帯とに基づいて発電機の運転時間を決定することで、貯水池の貯水量に応じた最適な水力発電計画を自動的に作成することが可能になる。
【発明を実施するための最良の形態】
【０００９】
以下、図面を参照しながら本発明の実施形態について説明する。
図１は本発明の実施形態である水力発電計画支援システムの構成を示した図である。
この図１に示す水力発電計画支援システムは、複数の水力発電計画作成装置１、１・・と、中央給電指令所２と、により構成され、各水力発電計画作成装置１、１・・と中央給電指令所２との間がローカルエリアネットワーク（ＬＡＮ：Local Area Network）等を
介して接続されている。
水力発電計画作成装置１は、夫々の水力発電所に設置され、各水力発電所の発電計画等を作成する。
中央給電指令所２は、複数の発電所における給電制御を行うと共に、各水力発電計画作成装置１に対して必要な情報、例えば降水量に関する情報や電力需要に関する情報などを提供したり、或いは各水力発電計画作成装置１の発電計画に関する情報等を取得したりする。
【００１０】
図２は水力発電計画作成装置１のハードウェアの構成例を示した図である。
この図２において、ＣＰＵ（Central Processing Unit）１１は、水力発電計画作成装置１全体の制御を司る。ＲＯＭ（Read Only Memory）１２は、プログラムデータ等が記憶されており、必要に応じてバス１０を介してＣＰＵ１１が読み出しを行うことで、ここに格納されたプログラムに従った処理を実行する。ＲＡＭ（Random Access Memory）１３には、ＣＰＵ１１が各種処理を実行するのに必要なデータやプログラム等が適宜保持される。ハードディスクドライブ（ＨＤＤ）１４は、記憶媒体としてハードディスク（ＨＤ）１５を備えており、ＣＰＵ１１がＨＤ１５に対してデータやプログラム等の記録又は読み出しを行う。この場合、ＣＰＵ１１はＨＤＤ１４のＨＤ１５に記憶されているアプリケーションプログラムを読み出し、ＲＡＭ１３に展開することで、そのアプリケーションプログラムに従った各種処理を実行する。
【００１１】
また内部バス１０にはディスプレイ１６が接続されると共に、入力手段であるキーボード１７やマウス１８が接続されている。
また内部バス１０は、ローカルエリアネットワークインターフェース（ＬＡＮＩ／Ｆ）１９が接続されており、このＬＡＮＩ／Ｆ１９を介してＬＡＮに接続される。また内部バス１０にはプリンタＩ／Ｆを介してプリンタ２０等の出力装置が接続されている。
このように構成される水力発電計画作成装置１は、ＣＰＵ１１がＲＯＭ１２またはＨＤＤ１４のＨＤ１５に記憶されているプログラムをＲＡＭ１３のワーク領域に展開して水力発電計画支援処理を実行するようにしている。
【００１２】
以下、本実施形態の水力発電計画作成装置１について詳細に説明する。
図３は本実施形態の水力発電計画作成装置の画面構成例を示した図である。
この図３に示す本実施形態の水力発電計画作成装置１は、ＭＥＮＵシート画面３０、入力シート画面４０、及び出力シート画面５０を有する。各シート画面にはジャンプボタン（領域）が設けられており、マウス１８等を操作して画面上のジャンプボタンをクリックすることにより、シート画面を切り換えることができる。また入力シート画面４０において入力したデータは、即座に計算されて出力シート画面５０に反映される。
【００１３】
図４は、ＭＥＮＵシート画面３０の一例を示した図である。
図４に示すようにＭＥＮＵシート画面３０には、○×ダムの短期計画入力用の入力領域として、入力シート画面４０に必要事項を入力して○×ダムの短期貯水池計画を作成するための短期計画作成領域３１、入力シート画面４０の入力に応じた出力結果を表示した出力シート画面５０を画面上に表示する印刷シート表示領域３２、及び短期計画入力用の使い方を表示する使い方領域３３が設けられている。また、ＭＥＮＵシート画面３０には○×ダムの年間計画入力用の入力領域として年間運用計画シートに年間計画を入力するための年間計画領域３４と年間計画入力用の使い方領域３５が設けられている。
【００１４】
ここで、先ず、貯水池（ダム）の年間運用計画について説明する。
先に述べたように、貯水池に貯水した水を利用して発電を行う水力発電所においては、梅雨期や台風期に流入する水によって貯水池から水が溢れたりすることなく、年間を通じて要求される電力を発電することが求められている。このため、水力発電所では過去数十年間の降水量に基づいて貯水池の貯水量の年間運用計画（目標）を予め作成するようにしている。
図５は貯水池の年間運用カーブの一例を示した図であり、破線Ａは貯水池の高さ、破線Ｂは貯水池の過去数十年間の運用実績に基づいた運用上限水位、破線Ｃは洪水が発生した場合において貯水池から溢水を避けるために必要な許容水量（ポケット）を夫々示している。また実線Ｄは上記した運用上限水位、及び洪水時に必要な許容水量に基づいて作成された貯水池の年間運用カーブが示されている。なお、この貯水池の年間運用カーブは作業者が経験に基づいて作成したものである。
【００１５】
本実施形態の水力発電計画作成装置１は、前記貯水池の貯水量が、予め作成した貯水池の年間運用カーブに応じた貯水量、即ち年間計画貯水量と等しくなるよう、２週間程度の短期発電計画を自動的に作成するようにした点に特徴を有する。
本実施形態の水力発電計画作成装置１により短期的な発電計画を自動的に作成するには、図４に示したＭＥＮＵシート画面３０の短期計画作成領域３１をクリックして、図６に示すような入力シート画面４０を表示させる。
【００１６】
図６（ａ）は短期的な発電計画を自動作成する前の入力シート画面を示した図、図６（ｂ）は短期発電計画作成後の入力シート画面を示した図である。
図６（ａ）（ｂ）において、領域４１は短期発電計画を作成する日付、曜日、及び祝日を入力するための領域であり、日付領域、曜日領域、及び祝日の場合にチェックを入れるチェックボックスが設けられている。
領域４２は、図５に示した年間運行カーブに基づいた年間計画貯水量を入力する年間計画貯水量入力領域と、前日の２４時における貯水量を入力する２４時貯水量入力領域と、河川などから予測される流入量を入力する流入量予測入力領域とが設けられている。なお、予め作成された年間計画貯水量は、領域４１の日付領域に日付を入力することで、ＨＤ１５等に記憶された年間運行カーブのデータから自動的に入力される。また、流入量予測表示領域に入力される流入量は、作業者が天気予報等の情報に基づいてキーボード１７やマウス１８を利用して入力したり、或いは中央給電指令所２からＬＡＮ等を介して伝送されてきた情報を自動的に入力したりすることができる。
【００１７】
領域４３には、図６（ｂ）に示すように短期発電計画を作成したときに、領域４２の年間計画貯水量入力領域に入力された年間計画貯水量、２４時貯水量表示領域に入力された２４時貯水量、及び流入量予測表示領域に入力された流入量予測等に基づいて算出される水力発電所の運転日、運転開始時間（並列時間）及び運転終了時間（解列時間）が自動的に入力される。また運転を午前と午後に分けて運転する場合は、運転予定１に午前の並列及び解列時間が入力され、運転予定２に午後の並列及び解列時間が入力される。なお、運転日及び並列時間及び解列時間の算出方法については後述する。
【００１８】
領域４４は、発電機等のメンテナンスを行うために発電機を停止する場合などに開始時間、終了時間、コメントなどを入力する作業制約入力領域であり、作業者が日程に従ってキーボード１７やマウス１８を利用して入力したり、或いは中央給電指令所２からＬＡＮ等を介して伝送されてきた情報を自動的に入力したりすることが考えられる。
領域４５は、作業者が月間作業計画などを確認して該当日の各種情報、例えばメンテナンスの情報などを入力するための記事入力領域である。
領域４６には、入力された２４時貯水量と年間計画貯水量とがグラフにより示されており、図６（ａ）に示す短期発電計画作成前のグラフと、図６（ｂ）に示す短期発電計画作成後のグラフを夫々比較すると明らかなように、短期発電計画作成後の２４時貯水量の方が年間計画貯水量に沿ったものとなっている。
【００１９】
また図７は入力シート画面４０の他の例を示した図であり、（ａ）は短期発電計画を自動作成する前の入力シート画面、（ｂ）は短期発電計画を自動作成後の入力シート画面を示した図である。
図６には夏期間（７／１１〜７／２２）の入力シート画面４０が示されているのに対して、図７には冬期間（１１／２１〜１２／２）の入力シート画面４０が示されている。
【００２０】
以下、本実施形態の水力発電計画作成装置１により実行される短期発電計画作成方法について具体的に説明する。
図８は、本実施形態の水力発電計画作成装置１が実行する短期発電計画作成方法の一例を示したフローチャートである。なお、この図８に示す処理は、水力発電計画作成装置１のＣＰＵ１１がＨＤ１５に予め記録されているプログラムを実行することにより実現されるものである。
この場合、先ず、ステップＳ１において、貯水池の貯水量が条件Ａを満たすか否かの判別を行う。ここで、条件Ａは、水力発電所の発電機を土曜日、日曜日、祝日において運転しても短期発電計画の最終日の水位が高水位（１７０米個日）であり、且つ、発電に使用する平均使用水量が１０［トン／秒］以上である。なお、［米個日］＝［トン・デイ］は、貯水池の１日あたりの貯水量を表す単位である。また、平均使用水量とは、発電機を最高効率で運転した時の使用水量［トン／秒］の平均を指す。
そして、ステップＳ１において条件Ａを満たすと判別した場合は、ステップＳ２に進み、発電機の運転日を毎日に決定する。即ち、貯水池の貯水量と予想流入量とに基づいて発電機を運転する運転日を決定する。
【００２１】
ここで、発電機の運転とは連続運転又はピーク運転を指し、連続運転とは０〜２４ｈの間フルまたは最高効率で運転することを意味する。またピーク運転とはピーク時間のみ運転することを意味する。そして、ステップＳ８において発電時間を計算した後、ステップＳ９において運転時間（発電パターン）を決定する。なお、発電時間の計算方法と、運転時間の決定方法については後述する。
一方、ステップＳ１において否定結果が得られた場合、即ち貯水池の貯水量が条件Ａを満たさないと判別した場合は、ステップＳ３に進み、条件Ｂを満たすか否かの判別を行う。ここで、条件Ｂは、発電機を日曜日に運転しなければ平均使用水量が１０［トン／秒］以上である。
【００２２】
そして、ステップＳ３において、条件Ｂを満たすと判別した場合は、ステップＳ４に進み、発電機の運転日を、日曜日を除いた日に、その運転形態を連続運転に決定する。そして、ステップＳ８において発電時間を計算した後、ステップＳ９において運転時間を決定する。
一方、ステップＳ３において否定結果が得られた場合は、ステップＳ５に進み、貯水池の貯水量が条件Ｃを満たすか否かの判別を行う。ここで、条件Ｃは、発電機を日曜日と祝日に運転しなければ平均使用水量が１０［トン／秒］以上である。そして、ステップＳ５において、条件Ｃを満たすと判別した場合は、ステップＳ６に進み、日曜日は運転停止、祝日は運転停止又はピーク運転、その他の曜日は運転に決定する。そして、ステップＳ８において発電時間を計算した後、ステップＳ９において運転時間を決定する。
一方、ステップＳ５において否定結果が得られた場合は、ステップＳ７に進み、土曜日、日曜日、祝日は運転を停止して、その他の曜日は運転に決定する。そして、ステップＳ８において発電時間を計算した後、ステップＳ９において運転時間を決定する。
【００２３】
ここで、ステップＳ８における発電時間の計算方法について説明する。
先ず、計算における前提条件として、当日貯水量［米個日］を、
当日貯水量［米個日］＝前日貯水量［米個日］＋（平均流入量［トン／秒］−平均取水量［トン／秒］）×２４［時間］×３６００［秒］
但し、水１［ｍ3］＝１［トン］とする。
とする。
また１日あたりの平均取水量［トン／秒］は、
１日あたりの平均取水量［トン／秒］＝最終日貯水量［米個日］−年間計画貯水量［米個日］／対象日数［日］
とする。ここで、最終日貯水量は作成する短期計画の最終日を指し、対象日数は作成する短期計画の日数を指す。
これにより、発電時間は、
発電時間［時間］＝１日あたりの平均取水量［トン／秒］／使用水量［トン／秒］×２４［時間］
と求めることができる。
【００２４】
次に、ステップＳ９における運転時間の決定方法について説明する。
上記のように条件ごとの発電時間が計算されると、ステップＳ９においては、その発電時間に伴って運転パターンを決定する。
図９は運転パターンの一例を示した図であり、（ａ）には夏パターン、（ｂ）には冬パターンが夫々示されている。
例えば図９（ａ）に示す夏パターン（５／１〜１０／３０）の期間においては、日中の電力消費量が大きいため、発電時間が１［時間（ｈ）］〜１２［時間（ｈ）］の場合は、１４：００を中心にして前後の時間を等しく割り振るようにする。また発電時間が１２［ｈ］〜１６［ｈ］の場合は、８：００を基準にしてそれ以降の時間に運転時間を割り振り、１６［ｈ］以上の場合は２４：００を基準にしてそれ以前の時間に運転時間を割り振るようにする。
【００２５】
これに対して、図９（ｂ）に示す冬パターン（１１／１〜４／３０）の期間においては、朝晩の電力消費量が大きいため、発電時間が１［ｈ］〜４［ｈ］の場合は、８：００を基準にしてそれ以降の時間に運転時間を割り振るようにする。また発電時間が４［ｈ］〜７［ｈ］の場合は８：００〜１２：００までと、１７：００を基準にしたそれ以降の時間に運転時間を割り振り、７［ｈ］〜１２［ｈ］の場合は８：００〜１２：００までと、２０：００を基準にしてそれ以前の時間に運転時間を割り振るようにする。また１２［ｈ］〜１６［ｈ］の場合は８：００を基準にしてそれ以降の時間に運転時間を割り振り、１６［ｈ］以上の場合は２４：００を基準にしてそれ以前の時間に運転時間を割り振るようにしている。
【００２６】
このように本実施の形態の水力発電計画作成装置１によれば、貯水池の貯水量と貯水池への予想流入量とに基づいて発電機を運転する運転日を決定すると共に、所定期間における貯水池の貯水量と貯水池の年間計画貯水量とから得られる１日あたりの平均取水量及び発電に使用する使用水量から発電時間を算出し、算出した発電時間に基づいて発電機の運転時間を決定することで、貯水池の貯水量に応じた最適な水力発電計画を自動的に作成することが可能になる。
また、本実施形態では、運転日を決定する際には、曜日や祝日といった運転日の電力需要に応じて運転時間を決定したり、或いは季節毎の電力需要に応じて運転時間を決定しているので、電力需要に応じた最適な水力発電計画を作成することができる。
【００２７】
図１０、図１１は出力シート画面の一例を示した図であり、図１０は上記図６に示した夏パターンの入力シート画面４０により作成される出力シート画面５０が、図１１には上記図７に示した冬パターンの入力シート画面４０により作成される出力シート画面５０が夫々示されている。このような出力シート画面５０は、上記図４に示したＭＥＮＵシート画面３０の印刷シート表示領域３２をクリックすることにより画面上に表示されるものである。
またこのような出力シート画面５０は所定の印刷操作を行うことによりプリンタ２０を介して出力することが可能である。
【００２８】
なお、これまで説明した本実施形態においては、約２週間（１１日）の短期発電計画を作成する場合を例に挙げて説明したが、これはあくまでも一例であり、短期発電計画の期間は２週間以上に設定しても、或いは２週間より短い期間に設定しても良いことは言うまでもない。
但し、発電計画期間を長く設定した場合は天候不順による流入量の大幅な変化により短期発電計画に基づいて発電を行った場合でも、実際の貯水量が年間計画貯水量から大きく外れてしまう虞があるので、実際の貯水量と年間計画貯水量との差が所定値以上になった場合に画面上に警告メッセージなどを表示して作業者に短期発電計画の再作成を促すようにすることが望ましい。
【図面の簡単な説明】
【００２９】
【図１】本発明の実施形態である水力発電計画支援システムの構成を示した図。
【図２】水力発電計画作成装置のハードウェアの構成例を示した図。
【図３】本実施形態の水力発電計画作成装置の画面構成例を示した図。
【図４】ＭＥＮＵシート画面の一例を示した図。
【図５】貯水池の年間運用カーブの一例を示した図。
【図６】夏パターンの入力シート画面の一例を示した図。
【図７】冬パターンの入力シート画面の一例を示した図。
【図８】本実施形態の水力発電計画作成装置が実行する短期発電計画作成方法の一例を示したフローチャート。
【図９】運転パターンの一例を示した図。
【図１０】夏パターンの出力シート画面の一例を示した図。
【図１１】冬パターンの出力シート画面の一例を示した図。
【符号の説明】
【００３０】
１…水力発電計画作成装置、２…中央給電指令所、１０…内部バス、１１…ＣＰＵ、１２…ＲＯＭ、１３…ＲＡＭ、１４…ＨＤＤ、１５…ＨＤ、１６…ディスプレイ、１７…キーボード、１８…マウス、１９…ＬＡＮＩ／Ｆ、２０…プリンタ、３０…ＭＥＮＵシート画面、４０…入力シート画面、５０…出力シート画面
【図１】
0004514726.tif 000002
【図２】
0004514726.tif 000003
【図３】
0004514726.tif 000004
【図４】
0004514726.tif 000005
【図５】
0004514726.tif 000006
【図６】
0004514726.tif 000007
【図７】
0004514726.tif 000008
【図８】
0004514726.tif 000009
【図９】
0004514726.tif 000010
【図１０】
0004514726.tif 000011
【図１１】
0004514726.tif 000012